(57)【要約】【課題】送信データの電圧レベルと受信データ特定用のしきい値をデータの遷移パターンにより変化させ符号誤り率の改善を実現した送受信システムを提供する。【解決手段】本発明は高周波信号を発生する局部信号源１０１と送信データを生成する送信データ生成手段１０４と前記局部信号源の出力を送信データに基づいて変調する変調手段１０２を備えた送信機１０７と、高周波信号を受信し検波する検波手段１１０と前記検波手段１１０の出力をデジタル信号に変換するＡ／Ｄ変換手段１１１と前記デジタル信号を特定する演算手段１１３を備えた受信機１１７から成り、前記送信データ生成手段１０４は送信データの電圧レベルを１つ以上前の送信データを基に変更し、前記演算手段１１３は受信データを特定するしきい値を１つ以上前の受信データの遷移パターンを基に変更する。【選択図】図１
2005311832.tif 000002
【特許請求の範囲】
【請求項１】
高周波信号を発生する局部信号源と送信データを生成する送信データ生成手段と前記局部信号源の出力を前記送信データに基づいてＮ値変調（Ｎは４以上）の変調する変調手段を備えた送信機と、前記送信機からの高周波信号を受信し検波する検波手段と前記検波手段の出力であるアナログ信号を所定のサンプリングタイミングでデジタル信号に変換するＡ／Ｄ変換手段と前記Ａ／Ｄ変換手段の出力から受信データを特定するための演算手段を備えた受信機から成り、前記送信機の前記変調手段の送信データ帯域制限フィルタのＢＴ値をおよそ１．０以下に設定し、前記送信データ生成手段はｎ番目（ｎ：自然数）の送信データの電圧レベルをｎ−１番目以前の送信データに応じて変更し、前記受信機の前記演算手段はｎ番目（ｎ：自然数）の受信データを特定する時にｎ−１番目以前の受信データの遷移パターンに応じて前記特定のためのしきい値を変更することを特徴とする送受信システム。
【請求項２】
送信機の送信データ生成手段は、送信データを入力する送信データ入力端子と、前記送信データを遅延する遅延手段と、前記送信データの電圧レベルを特定する電圧選択手段と、前記送信データの電圧レベルを保存している電圧レベルテーブルとから成り、前記電圧レベルテーブルに基づいてｎ番目の送信データの電圧レベルを変更することを特徴とする前記請求項１記載の送受信システム。
【請求項３】
電圧レベルテーブルは電圧レベルの組み合わせを保存しており、ｎ番目とｎ−１番目の送信データの組み合わせにより保存している電圧レベルの中から適したものをｎ番目の送信データの電圧レベルとして送信データを生成することを特徴とする請求項２記載の送受信システム。
【請求項４】
受信機の演算手段は、ｎ−１番目以前の受信データの遷移パターンに対応したしきい値のテーブルを持ち前記テーブルに基づいてしきい値を変更する前記請求項１記載の送受信システム。
【請求項５】
しきい値のテーブルはしきい値の組み合わせを保存しており、ｎ−１番目以前の受信データに適した組み合わせを選択し、それに基づいて受信データを特定する前記請求項４記載の送受信システム。
【請求項６】
送信機の送信データ生成手段は、電圧レベルテーブルの接続を切り替える切り替え機能を備えており、データ伝送速度や変調方式に応じて前記電圧レベルテーブルの利用を切り替えることを特徴とする請求項２記載の送受信システム。
【請求項７】
受信機の演算手段は、しきい値テーブル切り替え手段によるしきい値変更を切り替える切り替え機能を備えており、データ伝送速度や変調方式に応じてしきい値変更の実行を切り替えることを特徴とする請求項４記載の送受信システム。
【請求項８】
請求項１〜７のいずれか１項記載の送受信システムの機能の少なくとも一部をコンピュータに実現させるためのプログラム。
【発明の詳細な説明】
【技術分野】
【０００１】
本発明は、デジタル無線通信装置等の送信機および受信機で使用するものであり、特に送信側に帯域制限フィルタを備え、受信側にしきい値を用いた演算手段を備えた送受信システム、およびそのプログラムに関するものである。
【背景技術】
【０００２】
近年の無線通信では、静止画や動画通信の要望増加に伴い伝送速度の高速化が求められている。しかし高速化は送信信号の占有帯域幅の広がりに繋がり、それによって隣接チャンネルへの妨害が増加する。これを防ぐとともに高速化を実現する場合には変調データの帯域に近いまたはそれより狭い帯域特性をもった帯域制限フィルタを送信側に用いればよい。
【０００３】
しかしこれにより受信側の復調信号の信号振幅が変動することになり、結果復調する際の符号誤り率の劣化に繋がってしまう。そのため高速化を実現し尚且つ符号誤り率の劣化を最低限に抑えるために、受信側では受信データを特定する際に利用する演算手段に工夫がなされてきた。
【０００４】
従来の演算手段としては、現在受信されているデータの前後のデータの遷移パターンによりしきい値を移動させ、受信データを１か０に特定するものがあった。その例として特許文献１に記載されているようなものがあった。図１５は、前記特許文献１に記載された従来の受信データ特定用演算手段を示すものである。
【０００５】
図１５において従来の受信データ特定に用いられた演算手段は４つのフリップフロップ１５０１ａから１５０１ｄ、データ特定手段１５０２、オフセット選択部１５０３、受信データ特定部１５０４から成り立っていた。Ａ／Ｄ変換手段によりデジタル化された受信データはフリップフロップ１５０１ａと１５０１ｂにより２シンボル遅延されｎ番目のデータａとなる。同時に、Ａ／Ｄ変換手段によりデジタル化された受信データはデータ特定手段１５０２にも入力される。データ特定手段１５０２は基本のしきい値を取り入れ、入力された受信データを１か０に特定し、ｎ＋１番目の受信データとして出力する。
【０００６】
データ特定手段１５０２から出力されたｎ＋１番目の受信データをフリップフロップ１５０１ｃと１５０１ｄを通したデータがｎ−１番目の受信データである。ｎ＋１番目とｎ―１番目の受信データは選択部１５０３に入力され、選択部１５０３はこの２つのデータを用い、符号誤り率を最低限に抑える最適なオフセット設定値を決定し、出力する。
【０００７】
このオフセットは符号誤り率を最良化するためにしきい値を移動させなければいけない値で図１５のｂである。現在の受信データａとしきい値オフセット値ｂは受信データ特定部１５０４に入力され、受信データ特定部１５０４のしきい値は、基本のしきい値からしきい値オフセット値ｂの容量だけ移動され、現在のデータを特定していた。
【特許文献１】特開平７−３３０５５７号公報
【発明の開示】
【発明が解決しようとする課題】
【０００８】
しかしながら、前記従来の構成ではｎ番目のデータの特定のためにあらかじめｎ−１番目とｎ＋１番目の受信データの遷移パターンを特定しておく必要があるが、この時には一定のしきい値を使用し特定せざるをえない。帯域制限フィルタ使用により受信信号の振幅に変化が起こり振幅の中央が常に変動するため、一定のしきい値を用いたのでは符号誤り率が悪化する。すなわちｎ−１番目とｎ＋１番目の符号の特定に誤りが出る可能性が高くなる。さらにｎ−１番目とｎ＋１番目の受信データに誤りがあるのであれば、そのｎ−１番目とｎ＋１番目のデータを利用した従来の演算手段で取得されたｎ番目の受信データの特定での誤りの可能性も高くなる。
【０００９】
また４値ＦＳＫ変調のようにデータの電圧レベルの間隔が狭い場合には受信データを特定するしきい値を変動できる幅も狭くなり２値ＦＳＫ変調の時のようなしきい値変更による誤り率の改善効果は得られない。
【００１０】
つまりｎ番目の受信データだけではなく、演算手段に使われるすべての受信データが一定のしきい値ではなく遷移パターンを用い設定されたしきい値を利用し、尚且つ４値ＦＳＫ変調でもエラー率を改善するという課題を有していた。
【００１１】
本発明は、前記従来の課題を解決するもので、送信データの電圧レベルを送信データの遷移パターンにより変化させ、一定のしきい値を利用せず受信データの遷移パターンを基にしきい値を変化させることにより符号誤り率の改善を実現した送受信システムを提供することを目的とする。
【課題を解決するための手段】
【００１２】
前記従来の課題を解決するために、本発明は高周波信号を発生する局部信号源と送信データを生成する送信データ生成手段と前記局部信号源の出力を送信データに基づいて変調する変調手段を備えた送信機と、前記送信機からの高周波信号を受信し検波する検波手段と前記検波手段の出力であるアナログ信号を所定のサンプリングタイミングでデジタル信号に特定する演算手段を備えた受信機を備え、前記送信機の変調手段の送信データ帯域制限フィルタのＢＴ値をおよそ１．０以下に設定し、前記送信データ生成手段はｎ番目（ｎ：自然数）の送信データの電圧レベルをｎ−１番目以前の送信データに応じて変更し、前記受信機の演算手段はｎ番目（ｎ：自然数）の受信データを特定する時にｎ−１番目以前の受信データの遷移パターンに応じて特定のためのしきい値を変更することを特徴とする送受信システムである。本構成によって受信データ全てを符号誤り率の最適化を図り設定されたしきい値を用いて特定することができる。
【発明の効果】
【００１３】
以上のように、本発明の送信機、受信機の構成によれば例えば４値変調において、チャンネル幅の広がりをフィルタにより抑えても、符号誤り率の劣化を防ぐことができる。
【発明を実施するための最良の形態】
【００１４】
第１の発明は送信側ではｎ番目（ｎ：自然数）の送信データをＮ値変調する時にｎ−１番目以前の送信データにより送信データの電圧レベルを変更し、受信側ではｎ番目（ｎ：自然数）の受信データを特定する時にｎ−１番目以前の受信データの遷移パターンに応じて特定のためのしきい値を変更することにより、変調手段の送信データ帯域制限フィルタのＢＴ値をおよそ１．０以下に設定し受信データの振幅が変動してもデータの最大値から最小値までの変化の幅を狭め、データ特定のためのしきい値を受信データアイ波形とともに変動させることになり、符号誤り率の最良化を図ることができる。
【００１５】
第２の発明は、特に、第１の発明の送信データ生成手段を電圧選択手段と電圧レベルテーブルを使いｎ番目の送信データの電圧レベルを変更することにより、データの振幅の変動を最低限にし符号誤り率の最良化を図ることができる。
【００１６】
第３の発明は、特に、第１または第２の発明の電圧レベルテーブルをｎ番目とｎ−１番目の送信データの組み合わせによりｎ番目の送信データの電圧レベルを選択することにより、波形のアイ開口を最大限にし符号誤り率の最良化を図ることができる。
【００１７】
第４の発明は、特に、第１の発明に記載の演算手段をｎ−１番目以前の受信データの遷移パターンに対応したしきい値テーブルに基づいてしきい値を変更するとすることにより、受信データのアイ波形の中間点にしきい値を設けることになり、誤り率の改善を図ることができる。
【００１８】
第５の発明は、特に、第４の発明に記載のしきい値テーブルはしきい値の組み合わせを保存しておりｎ−１番目以前のデータに適した組み合わせを選択することにより、波形の変動と共にしきい値をも変動することが可能になり、符号誤り率の改善を図ることができる。
【００１９】
第６の発明は、特に、第２の発明に記載の送信データ生成手段に電圧レベルテーブルを切り替える機能を備えることにより、データ伝送速度や変調方式応じて前記可否を切り替えることができ、伝送速度や変調方式の切り替え可能な送信機または受信機にも対応することができる。
【００２０】
第７の発明は、特に、第４の発明に記載の演算手段にしきい値テーブル切り替え手段によるしきい値変更を切り替える切り替え機能を備えることにより、データ伝送速度や変調方式に応じて前記可否を切り替えることができ、伝送速度や変調方式の切り替え可能な送信機または受信機にも対応することができる。
【００２１】
第８の発明は、特に、第１から７の発明に記載の通信装置の機能の少なくとも一部をプログラム化することにより、コンピュータで実現することが可能である。そして、プログラムであるので、電気・情報機器、コンピュータ、サーバー等のハードリソースを協働させて本発明の送受信システムの少なくとも一部を容易に実現することができる。また記録媒体に記録したり通信回線を用いてプログラムを配信したりすることでプログラムの配布・更新やそのインストール作業が簡単にできる。
【００２２】
以下、本発明の実施の形態について、図面を参照しながら説明する。なお、この実施の形態によって本発明が限定されるものではない。
【００２３】
（実施の形態１）
図１は本発明の実施の形態１における送信機と受信機の構成図である。４値変調を例にして説明するがこれにかぎるものでなくＮ値変調（Ｎは４以上）であればよい。
【００２４】
図１において、送信機１０７は局部信号源１０１、変調手段１０２、増幅手段１０３、送信データ生成手段１０４、送信データ帯域制限フィルタ１０５、とアンテナ１０６から構成される。送信データ帯域制限フィルタ１０５は送信データ生成手段１０４から送信機１０７に入力された送信データの周波数帯域幅を制限し、伝送速度を増加しても隣接チャンネルに信号エネルギーがもれることを防ぐ。局部信号源１０１の出力は変調手段１０２にて送信データ帯域制限フィルタの出力によって変調され、増幅手段１０３を経てアンテナ１０６から放射される。
【００２５】
受信機１１７は増幅手段１０８、周波数変換手段１０９、検波手段１１０、Ａ／Ｄ変換手段１１１、サンプリングクロック発生手段１１２、演算手段１１３、しきい値テーブル１１４、受信データ出力端子１１５、とアンテナ１１６から構成される。
【００２６】
増幅手段１０８はアンテナ１１６により受信された高周波信号を処理しやすいように増幅する。周波数変換手段１０９は受信信号の周波数を低い周波数に変換するためのものである。検波手段１１０は前記周波数変換手段の出力を検波し、アナログ波形の復調信号を出力し、Ａ／Ｄ変換手段１１１により前記アナログ信号をデジタル信号に変換する。このときサンプリングクロック発生手段１１２に基づいて、ある一定の周期で受信データが出力される。サンプリングクロックは送信データの変調サンプリングタイミングに同期した信号である。演算手段１１３はしきい値テーブル１１４を備えており、デジタル化された復調信号をそれ以前の遷移パターンによりしきい値テーブル１１４に保存されているしきい値から最適なものを選択し、受信データを１か０に特定する。
【００２７】
ここで送信側の具体的な構成を、送信データ帯域制限フィルタにガウスフィルタを用いた場合について説明する。ガウスフィルタの伝達関数は
【００２８】
【数１】
2005311832.tif 000003
【００２９】
であり、パラメータｆｏをＢを用いて表すと、
【００３０】
【数２】
2005311832.tif 000004
【００３１】
、すなわち
【００３２】
【数３】
2005311832.tif 000005
【００３３】
である。
【００３４】
ここでＢは３ｄＢ帯域幅を表し、｜Ｇ（ｆ）｜２＝１／２となる場合の３ｄＢカットオフ周波数ｆｃの帯域幅である。ただしＢ＝２＊ｆｃである。すなわちフィルタのＢＴ積を０．８にした場合、Ｂはクロック周波数１／Ｔの１／２、ｆｃはＴの１／４に値し、フィルタの伝達関数は図２のようになる。図２の様に、ＢＴ積を小さくすると変調後の占有帯域幅を小さくできるという利点がある。
【００３５】
そしてＢＴ＝１．０で変調した４値ＦＳＫ変調波を受信側で検波した場合のアイ波形は図３の様になる。サンプリングタイミングは横軸の−１、０、１の各点でありデータの電圧レベルはー６、−２、２、６Ｖでそれぞれデータが００、０１、１０、１１の場合に相当するが、データによりアイ波形の振幅がそれぞれの電圧レベルに達していない場合がある事が分かる。この振幅の乱れは図４のＢＴ＝０．８で変調した場合のアイ波形をみるとさらに激しくなりアイ開口率が狭くなっている。ＢＴ積が大きい（１以上）場合にはデータによる振幅の乱れはそれほど気にはならないが、図４のようにＢＴ積が小さくなり、特に０．８以下では振幅が大きく変動するためデータの判定が困難になる。
【００３６】
そこで本発明では、送信側では送信データの電圧レベルを受信側ではデータ判定のためのしきい値を動的に変化させる構成をとる。図５、図６と図７は本発明の実施の形態１における送信データの電圧レベルの設定方法を示すものである。図５、図６、と図７において図１と同じ構成要素については同じ符号を用い、説明を省略する。
【００３７】
図５において送信データ生成手段１０２は送信データ入力端子５０１、遅延手段５０２、電圧選択手段５０３と電圧レベルテーブル５０４から構成される。送信データ入力端子５０１はデジタル送信データを取り入れ、遅延手段５０２には１クロックサイクル分送信データを遅延し、電圧選択手段５０３は送信データ入力端子５０１に入力された送信データと遅延された送信データを取り入れ、この組み合わせを電圧レベルテーブル５０４と比較し、その組み合わせに適した電圧レベルを選択し送信データの電圧レベルとして出力する。
【００３８】
以上のように構成された送信データ生成手段について、以下その動作、作用を説明する。
【００３９】
まず遅延手段５０２の出力である１クロックサイクル分遅延された送信データは電圧選択手段５０３に送られ送信データ入力端子から送信データも同じく電圧選択手段５０３に送られる。電圧レベルテーブル５０４の構成は図６のようになっており、電圧選択手段５０３に入力されたｎ番目とｎ−１番目のデータの組み合わせ特有の電圧レベルが選択できるような構成になっている。この場合、ｎ−１番目の送信データが００で、ｎ番目のデータは００の場合は０．１ｖ、ｎ−１番目のデータが１１、ｎ番目のデータが１１の場合は０．９ｖが選択される。図７が電圧選択手段５０３から出力される波形である。
【００４０】
前のデータの電圧レベルが低い場合は次の電圧レベルをあげ、前のデータの電圧レベルが高い場合には次の電圧レベルを下げることにより、データ波形が振幅しなければならない距離を長くすることにより、たとえそのレベルに達しなくても、従来のレベルまでは達していることになり、これによってデータ波形はより電圧レベルに近いレベルまで達することができ、アイ開口率も広くなる。
【００４１】
（実施の形態２）
図８、図９と図１０は本発明の実施の形態２における受信データ演算手段の構成図である。図８、図９と図１０において図１、図５、図６、図７と同じ構成要素については同じ符号を用い、説明を省略する。ここでは前記行程で選択したしきい値を用いてどのようにｎ番目のデータが１か０に判定されるかを表す。
【００４２】
図８において、演算手段１１３はｎ番目Ａ／Ｄ変換手段出力値入力端子８０１、比較手段８０２、しきい値テーブル１１４、ｎ−１番目の受信データ入力端子８０４、ｎ−２番目のデータ入力端子８０５、ｎ番目受信データ出力端子８０３から成る。比較手段８０２はｎ番目Ａ／Ｄ変換手段出力値入力端子８０１に入力されたＡ／Ｄ変換手段によりデジタル化されたｎ番目のデータの電圧をしきい値テーブル１１４に保存されているしきい値を用い００、０１、１０、または１１に特定しｎ番目受信データ出力端子８０３から出力する。
【００４３】
以上のように構成された受信データ演算手段について、以下その動作、作用を説明する。
【００４４】
まずＡ／Ｄ変換手段出力値入力端子８０１に入力されたｎ番目の受信データは比較手段８０２によりしきい値テーブル１１４から選択されたしきい値と比較される。しきい値テーブル１１４には図９のようにｎ−１番目のデータにより異なった３つのしきい値の組み合わせが保存されている。すなわちｎ−１番目のデータが００の場合は０．２ｖ、０．４５ｖと０．７ｖのしきい値と比較され、０．２ｖよりも小さい場合は００、０．２ｖよりは大きく０．４５ｖよりは小さい場合は０１、０．４５ｖよりは大きく０．７ｖよりは小さい場合は１０、そして０．７ｖより大きい場合は１１と特定される。この値は出力端子８０３より出力される。
【００４５】
図１０を用いてしきい値がどのように変移するかを説明する。まず３番目のデータを特定したい場合、１つ前のデータ、２番目のデータは０１である。しきい値テーブル１１４（図９参照）によるとｎ−１番目が０１の場合、しきい値は０．２３ｖ、０．４８ｖ、と０．７３ｖに設定される。同じく６番目のデータを特定する際にはしきい値テーブル１１４のｎ−１番目が１１の場合のしきい値を利用するので、０．３ｖ、０．５５ｖ、と０．８ｖになる。図１０に現れているように、データの変移とともにしきい値も変わっている。
【００４６】
なおここではｎ−１番目の受信データを基にしきい値テーブル１１４からしきい値の組み合わせを選択する方法を説明したが、ｎ−１番目とｎ−２番目のデータを基にしきい値の組み合わせを選択してもよい。またこの際にしきい値テーブル１１４に保存しなければならないしきい値の組み合わせ数が大きくなってしまうので、ｎ−１番目のデータが００と０１の場合は０．２２、０．４７と０．７２をしきい値に設定し、１０と１１の場合は０．２８、０．５３、と０．７８をしきい値に設定し、ｎ−１番目のデータをグルーピングしてもよい。
【００４７】
また図１１に示すように送信側の電圧切り替え手段と受信側のしきい値テーブル切り替え手段に切り替え手段を設けることも可能である。図１１に示すように送信側では電圧選択手段５０３を電圧切り替え手段１１０１によって固定電圧テーブル１１０２につなげることによりｎ−１番目のデータに関係なく一定の電圧レベルの送信データを出力することができる。固定電圧テーブル１１０２の構成は図１２に示している。前のデータに関係なく、００のデータを送る場合には０ｖ、０１のデータを送る場合には０．４ｖ、１０のデータを送る場合には０．６ｖ、１１のデータを送る場合には１ｖを用いる。
【００４８】
また図１３に示すように受信側では比較手段８０２をしきい値テーブル切り替え手段１３０１によって固定しきい値テーブル１３０２につなげることによりｎ−１番目、ｎ−２番目のデータに関係なく一定のしきい値レベルを用いて受信データの特定を行うことができる。
【００４９】
固定しきい値テーブル１３０２の構成は図１４のようになっており、前のデータに関係なく受信データを特定する際には常に０．２５ｖ、０．５０ｖ、と０．７５ｖを用い、０．２５ｖより小さい場合は００、０．２５ｖより大きく０．５０ｖより小さい場合は０１、０．５０ｖより大きく０．７５ｖより小さい場合は１０、そして０．７５ｖより大きい場合は１１と特定する。
【００５０】
電圧切り替え手段１１０１やしきい値テーブル切り替え手段１３０１を用いることにより、複数の伝送速度や変調方式に対応した送受信システムの場合、データの乱れが少ない伝送速度や変調方式の場合には送信側では一定の電圧レベルを用い受信側では一定のしきい値を用い、データの乱れが多い伝送速度や変調方式の場合には送信側では電圧レベルテーブル５０４を用い受信側ではしきい値テーブル１１４を用いる。またデータの乱れが少なめな伝送速度や変調方式の場合には送信側では一定の電圧レベルを用い受信側ではしきい値テーブル１１４を用いたりあるいは送信側では電圧レベルテーブル５０４を用い受信側では固定しきい値テーブル１３０２を用いることが可能である。
【００５１】
なお、本実施の形態で説明した手段やテーブルは、ＣＰＵ（またはマイコン）、ＲＡＭ、ＲＯＭ、記憶・記録装置、Ｉ／Ｏなどを備えた電気・情報機器、コンピュータ等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００５２】
以上のように、本発明にかかる送受信システム、およびそのプログラムは、送信側での帯域制限フィルタ使用による受信データの符号誤り率の劣化を回路構成により防ぐことが可能となるので、伝送速度の高速化等の用途に適用できる。
【図面の簡単な説明】
【００５３】
【図１】本発明の実施の形態１における送信機と受信機の構成図
【図２】本発明の実施の形態１におけるガウスフィルタの伝達関数を示す図
【図３】本発明の実施の形態１におけるガウスフィルタのｂＴ積が１．０の出力アイ開口を示す図
【図４】本発明の実施の形態１におけるガウスフィルタのｂＴ積が０．８の出力アイ開口を示す図
【図５】本発明の実施の形態１における送信データ生成手段の構成図
【図６】本発明の実施の形態１における電圧レベルテーブルの構成図
【図７】本発明の実施の形態１における電圧レベルテーブルを利用した送信データ生成手段の出力を示す図
【図８】本発明の実施の形態２における受信データ演算手段の構成図
【図９】本発明の実施の形態２におけるしきい値テーブルの構成図
【図１０】本発明の実施の形態２におけるしきい値と復調データの関係を示す図
【図１１】本発明の実施の形態２における電圧切り替え手段の構成図
【図１２】本発明の実施の形態２における固定電圧テーブルの構成図
【図１３】本発明の実施の形態２におけるしきい値テーブル切り替え手段の構成図
【図１４】本発明の実施の形態２における固定しきい値テーブルの構成図
【図１５】従来の復調手段の構成図
【符号の説明】
【００５４】
１０１  局部信号源
１０２  変調手段
１０４  送信データ生成手段
１０７  送信機
１１０  検波手段
１１１  Ａ／Ｄ変換手段
１１２  サンプリングクロック発生手段
１１３  演算手段
１１４  しきい値テーブル
１１７  受信機
５０１  送信データ入力端子
５０２  遅延手段
５０３  電圧選択手段
５０４  電圧レベルテーブル
８０２  比較手段
１１０１  電圧切り替え手段
１１０２  固定電圧テーブル
１３０１  しきい値テーブル切り替え手段
１３０２  固定しきい値テーブル
１５０１  フリップフロップ
１５０２  データ特定手段
１５０３  選択部
１５０４  受信データ特定部
【図１】
2005311832.tif 000006
【図２】
2005311832.tif 000007
【図３】
2005311832.tif 000008
【図４】
2005311832.tif 000009
【図５】
2005311832.tif 000010
【図６】
2005311832.tif 000011
【図７】
2005311832.tif 000012
【図８】
2005311832.tif 000013
【図９】
2005311832.tif 000014
【図１０】
2005311832.tif 000015
【図１１】
2005311832.tif 000016
【図１２】
2005311832.tif 000017
【図１３】
2005311832.tif 000018
【図１４】
2005311832.tif 000019
【図１５】
2005311832.tif 000020